(57)【要約】【課題】  オートフォーカス動作によってフォーカスレンズの焦点が合わせられた被写体が所望の被写体でない場合に、初心者であっても容易にフォーカスレンズの焦点を所望の被写体に合わせることが出来るカメラを提供する。【解決手段】  本発明に係るカメラは、フォーカスレンズ１、フォーカスレンズ１を光軸方向に駆動するモータ６、及び制御回路８を具えている。制御回路８は、複数の被写体に対してフォーカスレンズ１が合焦状態となる複数のレンズ位置を検出し、オートフォーカス動作が実行された後にオートフォーカス機能の設定がオンの状態で位置変更操作があったとき、フォーカスレンズ１の位置を、前記複数のレンズ位置の中の他のレンズ位置に変更する。【選択図】      図１
2005156810.tif 000002
【特許請求の範囲】
【請求項１】
フォーカスレンズを光軸方向に駆動して該レンズの焦点を自動的に被写体に合わせるオートフォーカス機能を有するカメラにおいて、
複数の被写体に対してフォーカスレンズが合焦状態となる複数のレンズ位置を検出する位置検出手段と、
オートフォーカス動作が実行された後、オートフォーカス機能の設定がオンの状態で位置変更操作があったとき、フォーカスレンズの位置を、前記複数のレンズ位置の中の他のレンズ位置に変更する位置変更手段
とを具えていることを特徴とするカメラ。
【請求項２】
前記位置検出手段は、
フォーカスレンズを一方向に駆動する過程で、フォーカスレンズを含む撮像光学系から得られる画像信号に基づいて合焦状態の良否を表わすフォーカス評価データを算出する動作を繰り返す手段と、
算出された複数のフォーカス評価データの中から複数の極大値を抽出し、それら複数の極大値が得られたときの複数のレンズ位置を前記複数のレンズ位置として検出して記憶する手段
とを具えている請求項１に記載のカメラ。
【請求項３】
前記位置変更手段は、フォーカスレンズの位置を、前記複数のレンズ位置の内、そのときのレンズ位置におけるフォーカス評価データの極大値の次に大きい極大値をとるレンズ位置に変更する請求項２に記載のカメラ。
【請求項４】
前記位置変更手段は、位置変更操作がフォーカスレンズの焦点位置を遠距離側へ変更するための操作であるとき、フォーカスレンズの位置を、焦点位置がそのときの焦点位置よりも遠距離側となる極大値をとるレンズ位置に変更する一方、位置変更操作がフォーカスレンズの焦点位置を近距離側へ変更するための操作であるとき、フォーカスレンズの位置を、焦点位置がそのときの焦点位置よりも近距離側となる極大値をとるレンズ位置に変更する請求項２に記載のカメラ。
【請求項５】
前記位置変更手段は、位置変更操作がフォーカスレンズの焦点位置を遠距離側へ変更するための操作であるとき、フォーカスレンズの位置を、焦点位置がそのときの焦点位置よりも遠距離側となる極大値をとる１或いは複数のレンズ位置の内、最も近いレンズ位置に変更する一方、位置変更操作がフォーカスレンズの焦点位置を近距離側へ変更するための操作であるとき、フォーカスレンズの位置を、焦点位置がそのときの焦点位置よりも近距離側となる極大値をとる１或いは複数のレンズ位置の内、最も近いレンズ位置に変更する請求項４に記載のカメラ。
【請求項６】
前記位置変更手段は、位置変更操作がフォーカスレンズの焦点位置を遠距離側へ変更するための操作であるとき、フォーカスレンズの位置を、焦点位置がそのときの焦点位置よりも遠距離側となる極大値をとる１或いは複数のレンズ位置の内、最大の極大値をとるレンズ位置に変更する一方、位置変更操作がフォーカスレンズの焦点位置を近距離側へ変更するための操作であるとき、フォーカスレンズの位置を、焦点位置がそのときの焦点位置よりも近距離側となる極大値をとる１或いは複数のレンズ位置の内、最大の極大値をとるレンズ位置に変更する請求項４に記載のカメラ。
【請求項７】
前記位置検出手段は、フォーカスレンズの位置が変更される度に、記憶している各レンズ位置の近傍で極大値をとるレンズ位置の検出動作を実行し、前記位置変更手段は、最新の検出結果に基づいてフォーカスレンズの位置を変更する請求項２乃至請求項６の何れかに記載のカメラ。
【発明の詳細な説明】
【技術分野】
【０００１】
本発明は、フォーカスレンズを駆動して該レンズの焦点を自動的に被写体に合わせるオートフォーカス機能を有するカメラに関するものである。
【背景技術】
【０００２】
近年、フォーカスレンズ及びＣＣＤ(固体撮像素子)からなる撮像光学系を具え、該撮像光学系によって撮影された画像をデジタルデータとして記録媒体に記録するデジタルカメラが広く普及している。
オートフォーカス機能を有するデジタルカメラにおいては、該機能の設定がオンの状態では、フォーカスレンズを光軸方向に駆動しつつ撮像光学系から得られる画像信号の高域成分を１フレーム分だけ積算する動作が繰り返されて、その積算値が最大となるレンズ位置が検出され、フォーカスレンズの位置が該検出されたレンズ位置に設定される。この様にして、フォーカスレンズの焦点が被写体に合わせられ、その後、所定の撮影動作が実行される。
【０００３】
ところで、複数の被写体を撮影する場合、フォーカスレンズの焦点を何れの被写体に合わせるかは撮影者の好みによって異なる。例えば、木と木の前に立っている人物を撮影する場合、フォーカスレンズの焦点を木に合わせるか、人物に合わせるかは撮影者の好みによって異なる。
しかし、従来のデジタルカメラにおいては、上述の如くフォーカスレンズの焦点が撮影者の意思とは無関係に画像信号の高域成分の積算値が最大となる位置に存在する被写体に合わせられるため、所望の被写体とは異なる被写体にフォーカスレンズの焦点が合わせられる場合があり、この場合、撮影者は、オートフォーカス機能をオフに切り換えてカメラ本体をマニュアルモードに設定した後、手動操作によってフォーカスレンズの焦点を所望の被写体に合わせ直さねばならず、オートフォーカス機能をオフに切り換える操作が面倒である問題があった。
そこで、オートフォーカス方法によるピント調整時に手動操作が行なわれると、該操作に応じてフォーカスレンズを移動させるオートフォーカス方法が提案されている(特許文献１)。該方法によれば、オートフォーカス機能をオフに切り換える操作は不要である。
【特許文献１】特開平８−２９６６５号公報
【発明の開示】
【発明が解決しようとする課題】
【０００４】
しかしながら、上記従来のデジタルカメラ及び上記オートフォーカス方法の何れにおいても、オートフォーカス動作によってフォーカスレンズの焦点が合わせられた被写体が所望の被写体でない場合には、その後に手動操作によってフォーカスレンズの焦点を所望の被写体に合わせなければならず、手動操作によってフォーカスレンズの焦点を所望の被写体に合わせることは初心者にとって困難である問題があった。
そこで本発明の目的は、オートフォーカス動作によってフォーカスレンズの焦点が合わせられた被写体が所望の被写体でない場合に、初心者であっても容易にフォーカスレンズの焦点を所望の被写体に合わせることが出来るカメラを提供することである。
【課題を解決するための手段】
【０００５】
本発明に係るカメラは、フォーカスレンズを光軸方向に駆動して該レンズの焦点を自動的に被写体に合わせるオートフォーカス機能を有しており、
複数の被写体に対してフォーカスレンズが合焦状態となる複数のレンズ位置を検出する位置検出手段と、
オートフォーカス動作が実行された後、オートフォーカス機能の設定がオンの状態で位置変更操作があったとき、フォーカスレンズの位置を、前記複数のレンズ位置の中の他のレンズ位置に変更する位置変更手段
とを具えている。
【０００６】
複数の被写体を撮影すべく上記本発明に係るカメラの撮影方向を複数の被写体に向けると、これら複数の被写体に対してフォーカスレンズが合焦状態となる複数のレンズ位置が検出される。そして、オートフォーカス機能の設定がオンの状態では、先ず、オートフォーカス動作によりフォーカスレンズの位置が前記複数のレンズ位置の中の１つのレンズ位置に設定されて、該レンズの焦点が１つの被写体に合わせられる。その後、オートフォーカス機能の設定がオンの状態で位置変更操作が行なわれると、フォーカスレンズの位置が、前記複数のレンズ位置の内、そのときのレンズ位置以外の他のレンズ位置に変更されて、該レンズの焦点が、前記複数の被写体の内、そのときに合わせられている被写体以外の他の被写体に合わせられる。この様にして、位置変更操作に応じて、フォーカスレンズの焦点位置が前記複数の被写体の間で変更される。
【０００７】
具体的には、前記位置検出手段は、
フォーカスレンズを一方向に駆動する過程で、フォーカスレンズを含む撮像光学系から得られる画像信号に基づいて合焦状態の良否を表わすフォーカス評価データを算出する動作を繰り返す手段と、
算出された複数のフォーカス評価データの中から複数の極大値を抽出し、それら複数の極大値が得られたときの複数のレンズ位置を前記複数のレンズ位置として検出して記憶する手段
とを具えている。
【０００８】
例えば前記フォーカス評価データは、画像信号の高域成分の積算値であり、フォーカスレンズの位置を光軸方向に変化させると、該積算値はフォーカスレンズの焦点が被写体に合う位置で極大値をとることになる。
そこで、上記具体的構成においては、フォーカスレンズを一方向に駆動する過程でフォーカス評価データを算出する動作が繰り返され、フォーカス評価データが極大値となる複数のレンズ位置が検出される。
【０００９】
又、具体的構成においては、前記位置変更手段は、フォーカスレンズの位置を、前記複数のレンズ位置の内、そのときのレンズ位置におけるフォーカス評価データの極大値の次に大きい極大値をとるレンズ位置に変更する。
【００１０】
上記具体的構成においては、位置変更操作が行なわれたとき、フォーカスレンズの焦点が、フォーカス評価データがそのときの位置の次に大きい極大値となる位置に存在する他の被写体に合わせられる。
【００１１】
他の具体的構成においては、前記位置変更手段は、位置変更操作がフォーカスレンズの焦点位置を遠距離側へ変更するための操作であるとき、フォーカスレンズの位置を、焦点位置がそのときの焦点位置よりも遠距離側となる極大値をとるレンズ位置に変更する一方、位置変更操作がフォーカスレンズの焦点位置を近距離側へ変更するための操作であるとき、フォーカスレンズの位置を、焦点位置がそのときの焦点位置よりも近距離側となる極大値をとるレンズ位置に変更する。
【００１２】
上記具体的構成においては、位置変更操作としてフォーカスレンズの焦点位置を遠距離側へ変更するための操作が行なわれたとき、フォーカスレンズの焦点が、そのときに合わせられている被写体よりも遠距離側に存在する他の被写体に合わせられるのに対し、近距離側へ変更するための操作が行なわれたときには、フォーカスレンズの焦点が、そのときに合わせられている被写体よりも近距離側に存在する他の被写体に合わせられる。従って、撮影者は、所望の被写体がフォーカスレンズの焦点が合わせられている被写体よりも遠距離側に存在する場合には遠距離側へ変更するための操作を行なう一方、近距離側に存在する場合には近距離側へ変更するための操作を行なうことによって、短時間でフォーカスレンズの焦点を所望の被写体に合わせることが出来る。
【００１３】
具体的には、前記位置変更手段は、位置変更操作がフォーカスレンズの焦点位置を遠距離側へ変更するための操作であるとき、フォーカスレンズの位置を、焦点位置がそのときの焦点位置よりも遠距離側となる極大値をとる１或いは複数のレンズ位置の内、最も近いレンズ位置に変更する一方、位置変更操作がフォーカスレンズの焦点位置を近距離側へ変更するための操作であるとき、フォーカスレンズの位置を、焦点位置がそのときの焦点位置よりも近距離側となる極大値をとる１或いは複数のレンズ位置の内、最も近いレンズ位置に変更する。
【００１４】
上記具体的構成においては、位置変更操作としてフォーカスレンズの焦点位置を遠距離側へ変更するための操作が行なわれたとき、フォーカスレンズの焦点が、そのときに合わせられている被写体よりも遠距離側に存在する１或いは複数の他の被写体の内、最も近い位置に存在する被写体に合わせられるのに対し、フォーカスレンズの焦点位置を近距離側へ変更するための操作が行なわれたときには、フォーカスレンズの焦点が、そのときに合わせられている被写体よりも近距離側に存在する１或いは複数の他の被写体の内、最も近い位置に存在する被写体に合わせられる。
【００１５】
他の具体的構成においては、前記位置変更手段は、位置変更操作がフォーカスレンズの焦点位置を遠距離側へ変更するための操作であるとき、フォーカスレンズの位置を、焦点位置がそのときの焦点位置よりも遠距離側となる極大値をとる１或いは複数のレンズ位置の内、最大の極大値をとるレンズ位置に変更する一方、位置変更操作がフォーカスレンズの焦点位置を近距離側へ変更するための操作であるとき、フォーカスレンズの位置を、焦点位置がそのときの焦点位置よりも近距離側となる極大値をとる１或いは複数のレンズ位置の内、最大の極大値をとるレンズ位置に変更する。
【００１６】
上記他の具体的構成においては、位置変更操作としてフォーカスレンズの焦点位置を遠距離側へ変更するための操作が行なわれたとき、フォーカスレンズの焦点が、そのときに合わせられている被写体よりも遠距離側に存在する１或いは複数の他の被写体の内、フォーカス評価データが最大の極大値となる位置に存在する被写体に合わせられるのに対し、フォーカスレンズの焦点位置を近距離側へ変更するための操作が行なわれたときには、フォーカスレンズの焦点が、そのときに合わせられている被写体よりも近距離側に存在する１或いは複数の他の被写体の内、フォーカス評価データが最大の極大値となる位置に存在する被写体に合わせられる。
【００１７】
更に具体的には、前記位置検出手段は、フォーカスレンズの位置が変更される度に、記憶している各レンズ位置の近傍で極大値をとるレンズ位置の検出動作を実行し、前記位置変更手段は、最新の検出結果に基づいてフォーカスレンズの位置を変更する。
該具体的構成によれば、フォーカスレンズの位置が変更される度に位置検出手段のレンズ位置検出動作が実行され、最新の検出結果に基づいてフォーカスレンズの位置が変更されるので、フォーカス調整について高い精度が得られる。
【発明の効果】
【００１８】
本発明に係るカメラによれば、位置変更操作に応じてフォーカスレンズの焦点位置が複数の被写体の間で変更されるので、初心者であっても容易にフォーカスレンズの焦点を所望の被写体に合わせることが出来る。
【発明を実施するための最良の形態】
【００１９】
以下、本発明を、オートフォーカス機能を有するデジタルカメラに実施した形態につき、図面に沿って具体的に説明する。
本発明に係るデジタルカメラにおいては、図１に示す如く、フォーカスレンズ(１)及びＣＣＤ(２)を具えた撮像光学系から得られる画像信号は、相関二重サンプリング及び自動ゲイン制御を行なうＣＤＳ／ＡＧＣ回路(３)を経て、Ａ／Ｄ変換器(４)に供給され、デジタル画像データが作成される。該デジタル画像データは信号処理回路(５)にて必要な信号処理を受けた後、後段回路へ出力される。
【００２０】
前記フォーカスレンズ(１)は、モータ(６)の駆動によって前後に移動させることが可能となっており、モータ(６)には、モータ駆動回路(７)が接続されている。該モータ駆動回路(７)には、マイクロコンピュータからなる制御回路(８)から制御信号が供給されて、後述の如くフォーカスレンズ(１)の駆動制御が行なわれる。
【００２１】
前記信号処理回路(５)の出力信号はＡＦ検波回路(９)に供給される。ＡＦ検波回路(９)は、入力された信号をＤ／Ａ変換し、これによって得られる画像信号から高域成分を抽出した後、抽出した信号をＡ／Ｄ変換する。ＡＦ検波回路(９)の出力データは、前記制御回路(８)に供給される。
制御回路(８)には、複数の操作キーからなるキー入力装置(10)が接続されており、これら複数の操作キーの中には、オートフォーカス機能の設定がオンの状態でフォーカスレンズ(１)の焦点位置を複数の被写体の間で変更する際に操作すべき操作キーが含まれている。尚、従来のデジタルカメラに配備されている複数の操作キーの内、画像撮影時に使用されない操作キーを、フォーカスレンズの焦点位置を複数の被写体の間で変更するための操作キーとして兼用することも可能である。
【００２２】
オートフォーカス機能の設定がオンの状態では、上記制御回路(８)は、モータ駆動回路(７)に対しフォーカスレンズ駆動命令を繰り返し発することによってフォーカスレンズ(１)を光軸方向に駆動しつつ、ＡＦ検波回路(９)から入力されたデータを１フレーム分だけ積算する動作を繰り返し、これによって得られる複数の積算値(フォーカス評価データ)の中から複数の極大値を抽出し、抽出した極大値を内蔵メモリ(図示省略)に格納すると共に、各極大値が得られたときのレンズ位置を表わす位置情報を内蔵メモリに格納する。
図３は、フォーカスレンズ(１)の焦点距離を変化させたときのフォーカス評価データの変化の一例を表わしている。この例では、フォーカス評価データはフォーカスレンズの焦点が位置Ａ〜Ｅの各位置にあるときに極大値となっており、内蔵メモリには、フォーカスレンズの焦点が位置Ａ〜Ｅの各位置にあるときのフォーカス評価データ及び位置情報が格納される。
【００２３】
その後、内蔵メモリに格納されている複数の位置情報の内、フォーカス評価データが最も大きい位置情報に基づきフォーカスレンズ駆動命令を作成してモータ駆動回路(７)に出力する。この結果、フォーカスレンズ(１)の焦点が、フォーカス評価データが最大となる位置に存在する被写体に合わせられることになる。図３に示す例では、フォーカスレンズ(１)の焦点は、位置Ｃに存在する被写体に合わせられる。
【００２４】
その後、オートフォーカス機能の設定がオンの状態で前記キー入力装置(10)に対して位置変更操作が行なわれると、制御回路(８)は、その位置変更操作がフォーカスレンズ(１)の焦点位置を撮影者から離れる遠距離側へ変更するための操作、或いは撮影者に近づく近距離側へ変更するための操作の何れの操作であるかを判断し、遠距離側へ変更するための操作である場合には、フォーカスレンズ(１)の焦点位置がそのときの位置よりも遠距離側となる１或いは複数の位置情報の内、フォーカス評価データが最も大きい位置情報に基づきフォーカスレンズ駆動命令を作成してモータ駆動回路(７)に出力する。この結果、フォーカスレンズ(１)の焦点が、そのときに合わせられている被写体よりも遠距離側に存在する１或いは複数の被写体の内、フォーカス評価データが最大となる位置に存在する被写体に合わせられることになる。その後、再びフォーカスレンズ(１)の焦点位置を遠距離側に変更するための操作が行なわれると、同様にして、フォーカスレンズ(１)の焦点が、そのときに合わせられている被写体よりも遠距離側に存在する１或いは複数の被写体の内、フォーカス評価データが最大となる位置に存在する被写体に合わせられる。この様にして、フォーカスレンズ(１)の焦点は、フォーカスレンズ(１)の焦点位置を遠距離側へ変更するための操作が行なわれる度に遠距離側に存在する他の被写体に合わせられることになり、最終的には無限遠に合わせられることになる。図３に示す例では、フォーカスレンズ(１)の焦点が位置Ｃに存在する被写体に合わせられている状態で前記操作が行なわれると、フォーカスレンズ(１)の焦点は位置Ｅに存在する被写体に合わせられ、その後、再び前記操作が行なわれると無限遠に合わせられる。
【００２５】
これに対し、前記位置変更操作がフォーカスレンズ(１)の焦点位置を近距離側へ変更するための操作である場合には、フォーカスレンズ(１)の焦点位置がそのときの焦点位置よりも近距離側となる１或いは複数の位置情報の内、フォーカス評価データが最も大きい位置情報に基づきフォーカスレンズ駆動命令を作成してモータ駆動回路(７)に出力する。この結果、フォーカスレンズ(１)の焦点が、そのときに合わせられている被写体よりも近距離側に存在する１或いは複数の被写体の内、フォーカス評価データが最大となる位置に存在する被写体に合わせられることになる。その後、再びフォーカスレンズ(１)の焦点位置を近距離側に変更するための操作が行なわれると、同様にして、フォーカスレンズ(１)の焦点が、そのときに合わせられている被写体よりも近距離側に存在する１或いは複数の被写体の内、フォーカス評価データが最大となる位置に存在する被写体に合わせられる。この様にして、フォーカスレンズ(１)の焦点は、フォーカスレンズ(１)の焦点位置を近距離側へ変更するための操作が行なわれる度に近距離側に存在する他の被写体に合わせられることになり、最終的には、該カメラにおいて合わせることが可能な最も近い位置に合わせられることになる。図３に示す例では、フォーカスレンズ(１)の焦点が位置Ｃに存在する被写体に合わせられている状態で前記操作が行なわれると、フォーカスレンズ(１)の焦点は位置Ｂに存在する被写体に合わせられ、その後、再び前記操作が行なわれると、位置Ａに存在する被写体に合わせられる。更に前記操作が行なわれると、該カメラにおいて合わせることが可能な最も近い位置Ｐ０に合わせられる。
【００２６】
図２は、オートフォーカス機能の設定がオンの状態で上記制御回路(８)によって実行されるフォーカスレンズ駆動制御の手続きを表わしている。
先ずステップＳ１では、上述の如くフォーカスレンズ(１)を光軸方向に駆動して複数のフォーカス評価データ及び位置情報を取得した後、取得したフォーカス評価データ及び位置情報を内蔵メモリに格納し、次にステップＳ２では、内蔵メモリに格納されている複数の位置情報の内、フォーカス評価データの最も大きい位置情報に基づきフォーカスレンズ駆動命令を作成してモータ駆動回路(７)に出力する。この結果、フォーカスレンズ(１)の焦点が、フォーカス評価データが最大となる位置に存在する被写体に合わせられることになる。
【００２７】
続いてステップＳ３では、一定時間内にユーザにより位置変更操作が行なわれたか否かを判断し、イエスと判断された場合は、ステップＳ４に移行して、前記位置変更操作がフォーカスレンズ(１)の焦点位置を遠距離側へ変更するための操作、或いは近距離側へ変更するための操作の何れの操作であるかを判断する。
前記位置変更操作がフォーカスレンズ(１)の焦点位置を遠距離側へ変更するための操作である場合には、ステップＳ５に移行し、フォーカスレンズ(１)の焦点位置がそのときの焦点位置よりも遠距離側となる１或いは複数の位置情報の内、フォーカス評価データが最も大きい位置情報に基づきフォーカスレンズ駆動命令を作成してモータ駆動回路(７)に出力する。この結果、フォーカスレンズ(１)の焦点が、そのときに合わせられている被写体よりも遠距離側に存在する１或いは複数の被写体の内、フォーカス評価データが最大となる位置に存在する被写体に合わせられることになる。その後、ステップＳ３に戻って、位置変更操作の有無が判断される。
【００２８】
これに対し、前記位置変更操作がフォーカスレンズ(１)の焦点位置を近距離側へ変更するための操作である場合には、ステップＳ６に移行し、フォーカスレンズ(１)の焦点位置がそのときの焦点位置よりも近距離側となる１或いは複数の位置情報の内、フォーカス評価データが最も大きい位置情報に基づきフォーカスレンズ駆動命令を作成してモータ駆動回路(７)に出力する。この結果、フォーカスレンズ(１)の焦点が、そのときに合わせられている被写体よりも近距離側に存在する１或いは複数の被写体の内、フォーカス評価データが最大となる位置に存在する被写体に合わせられることになる。その後、ステップＳ３に戻って、位置変更操作の有無が判断される。
最終的にステップＳ３にてノーと判断された場合には、上記手続きを終了し、その後、所定の撮影処理を実行する。
【００２９】
本発明に係るデジタルカメラにおいては、オートフォーカス機能の設定がオンの状態でキー入力装置(10)に対して位置変更操作を行なえば、フォーカスレンズ(１)の焦点位置が複数の被写体の間で変更されるので、初心者であっても容易にフォーカスレンズの焦点を所望の被写体に合わせることが出来る。
【００３０】
尚、本発明の各部構成は上記実施の形態に限らず、特許請求の範囲に記載の技術的範囲内で種々の変形が可能である。
例えば、フォーカスレンズ(１)の焦点位置を遠距離側へ変更するための操作が行なわれた場合に、フォーカスレンズ(１)の焦点を、そのときに合わせられている被写体よりも遠距離側に存在する１或は複数の被写体の内、最も近い位置に存在する被写体に合わせる一方、近距離側へ変更するための操作が行なわれた場合には、そのときに合わせられている被写体よりも近距離側に存在する１或は複数の被写体の内、最も近い位置に存在する被写体に合わせる構成を採用することも可能である。
又、位置変更操作が行なわれたときに、該操作が遠距離側へ変更するための操作或は近距離側へ変更するための操作の何れの操作であるかに拘わらず、フォーカスレンズ(１)の焦点を、遠距離側及び近距離側に存在する１或いは複数の被写体の内、フォーカス評価データが最大となる位置に存在する被写体に合わせる構成を採用することも可能である。
更に、フォーカスレンズ(１)の焦点位置が変更される度に、新たなフォーカス評価データ及び位置情報を取得し、最新のフォーカス評価データ及び位置情報に基づいてフォーカスレンズ(１)の位置を変更する構成を採用することも可能である。
更に又、上記実施の形態においては、制御回路(８)は、算出したフォーカス評価データをそのまま内蔵メモリに格納しているが、所定の閾値によりノイズを除去した後のフォーカス評価データを内蔵メモリに格納する構成を採用することも可能である。
【図面の簡単な説明】
【００３１】
【図１】本発明に係るデジタルカメラの構成を表わすブロック図である。
【図２】上記デジタルカメラにおけるフォーカスレンズ駆動制御手続きを表わすフローチャートである。
【図３】フォーカスレンズの焦点距離を変化させたときのフォーカス評価データの変化の一例を表わすグラフである。
【符号の説明】
【００３２】
(１)  フォーカスレンズ
(２)  ＣＣＤ
(３)  ＣＤＳ／ＡＧＣ回路
(４)  Ａ／Ｄ変換器
(５)  信号処理回路
(６)  モータ
(７)  モータ駆動回路
(８)  制御回路
(９)  ＡＦ検波回路
(10)  キー入力装置
【図１】
2005156810.tif 000003
【図２】
2005156810.tif 000004
【図３】
2005156810.tif 000005